(57)【要約】【課題】  備蓄に適し、且つ運搬移動が容易な寸法、重量であって、被災者、支援者のいずれにも活用範囲が広く、安価な災害備蓄セットの提供を課題とする。【解決手段】  災害備蓄セット１００は、間仕切りパーテーション１１用、簡易テント１２用、簡易更衣室１３用のダンボール板材１と、ダンボール中箱５０に収納された簡易トレイ兼テーブル１４用のダンボール部材と、ダンボール接続加工用のガムテープ等の備品１５がセットされた被災者用セット１００Ａ、又は、簡易連絡ボード１６、簡易サインボード１７、机１８用のダンボール板材１と、ダンボール中箱５０に収納された椅子１９、棚２０及びダンボール接続用のガムテープ等の備品１５がセットされた支援者用セット１００Ｂであることを特徴とする。【選択図】    図１
2008126021.tif 000002
【特許請求の範囲】
【請求項１】
地震、風水害、津波などの災害発生時の公共避難場所に備える避難者用の備蓄セットであって、
避難者一人がゆとりを持って居住できる幅を所定寸法ｎとし、その所定寸法ｎの縦横長さの運搬台に載置された縦横所定寸法ｎの複数枚のダンボール板材と、ダンボール板材及び箱を接続組み立てるためのガムテープ等の接続資材を収納した複数のダンボール小箱と、その複数の小箱を収納した複数のダンボール中箱と、さらにその複数の中箱を収納した少なくとも１辺が所定寸法ｎのダンボール大箱とを載置して、縦横及び高さを所定寸法ｎに統一し、
避難所開設に際し、前記ダンボール板材をガムテープ等の接続資材で組み立てることにより、間仕切りパーテーション、三角シェルター、更衣パネル、テーブル兼トレイを提供し、前記ダンボール大箱をそのままあるいは接続加工し、共同トイレ、共同着替えブース、共同ゴミ箱又は立ち位テーブルとし、
ダンボール中箱を家族単位の配給品収納庫、又はダンボール板材と組み合わせて座位テーブルとし、
ダンボール小箱は、複数の小箱を床に連結敷き詰めた断熱床、就寝用枕、２段重ねとして簡易テーブル、３段重ねとして簡易椅子、個人単位配給品収納庫とし、速やかな避難所生活のプライバシー確保と収容者の生活支援を図る避難者用セットであることを特徴とする災害備蓄セット。
【請求項２】
地震、風水害、津波などの災害発生時の公共避難場所に備える避難者用の備蓄セットであって、
避難者一人がゆとりを持って居住できる幅を所定寸法ｎとし、その所定寸法ｎの縦横長さの運搬台に載置された縦横所定寸法ｎの複数枚のダンボール板材と、ダンボール板材及び箱を接続組み立てるためのガムテープ等の接続資材を収納した複数のダンボール小箱と、その複数の小箱を収納した複数のダンボール中箱と、さらにその複数の中箱を収納した少なくとも１辺が所定寸法ｎのダンボール大箱とを載置して、縦横及び高さを所定寸法ｎに統一し、
避難所開設に際し、前記ダンボール板材をガムテープ等の接続資材で組み立てることにより、非難者への連絡事項を掲示する簡易連絡ボード、避難者への案内を表示する簡易サインボードを提供し、前記ダンボール大箱とダンボール板材をそのままあるいは接続加工し、相談テーブル及び椅子、共同着替えブース、共同ゴミ箱、収納棚を提供し、速やかな避難所での支援業務の円滑な運営を図る支援者用セットであることを特徴とする災害備蓄セット。
【請求項３】
前記ダンボール板材は、表面に被災者の視覚を通して精神的負担、心理的苦痛を和らげる花柄などの印刷がなされていることを特徴とする請求項１又は２記載の災害備蓄セット。
【請求項４】
前記ダンボール板材は、板材を切断・折り曲げ加工の切断線又は曲げ線を印刷或いはミシン加工されており、サインボード脚部、椅子部材、机部材、遊具部材などの所望のダンボール部品をカッターで容易に切り抜き可能な加工がされていることを特徴とする請求項１又は２記載の災害備蓄セット。
【発明の詳細な説明】
【技術分野】
【０００１】
本発明は、大地震、集中豪雨、台風、津波など突然襲ってくる災害発生時の避難所に備える備蓄セットに関し、詳しくは避難所に収容された被災者の避難生活を支援するダンボール資材を用いた避難者用セットと、避難所生活を支援するスタッフ用のダンボール資材を用いた支援者用セットに関する。
【背景技術】
【０００２】
従来、大地震などの大規模な災害時には、学校の体育館などが避難施設として提供されるが、大勢の被災者が集まる避難生活では間仕切りも無く、プライバシー保護が問題となっていた。また、阪神大震災や新潟中越地震を機に、地方自治体が災害時避難所の設置と、資材の備蓄を行ってきたが、実用的或いは機能的設備が中心であって、被災者や、その支援者の精神的負担、心理的苦痛を緩和する配慮までは至っていなかった。
【０００３】
また、限られた備蓄倉庫に効率よく収納でき、災害時に、支援者又は被災者が容易に避難所まで運搬移動でき、且つ、それぞれの被災者の必要性に応じて利用可能な用品の備蓄セットが備えられていない問題があった。
【０００４】
限られた防災予算内で被災者の避難所生活を支援するためには、安価で、加工或いは組み立てが容易で、且つ復旧時に処分可能な取扱い性、応用性の高い資材に統一した備蓄セットが望まれていたが、従来は、それぞれの用途毎に多様な資材や専用部品を必要とし、さらに異なる寸法であるため備蓄に際して収納密度を高めることができず、必要量の備蓄ができない問題があった。
【０００５】
例えば、避難所のプライバシー確保のための避難所資材としては、特許文献１に開示されている「避難所の間仕切りセット及び固定金具」があった。この避難セットは発泡パネルを用いた簡易型の間仕切りセットであるが、４５０×１８００×２５ｍｍの形状の準不燃材でできた発泡パネルを、４５０×９００×２５の発泡パネル、４５０×４５０×２５の発泡パネル、接着テープ、Ｕ字パネル固定金具Ｃ、逆Ｕ字固定金具Ｄなどの専用部品で構成されていた。
【０００６】
しかしながら、従来の間仕切りセットは、材料が発泡パネルなので軽く、荷物や人などが触れる外力が加わると動き易く安定性が悪いという問題があった。また、間仕切りパネルとして夫々寸法の異なる数種類のパネルを組合せているので、組み立てや分解収納作業が複雑で手間が掛り年寄りや女性には負担になるという問題があった。また、床材と壁材での間仕切り専用のセットであり、応用が利かないものであった。
【０００７】
【特許文献１】特開平９−２２８６６７号公報
【発明の開示】
【発明が解決しようとする課題】
【０００８】
本発明は、備蓄に適し、且つ運搬移動が容易な寸法、重量であって、被災者、支援者のいずれにも活用範囲が広く、安価な備蓄セットの提供を課題とする。
【課題を解決するための手段】
【０００９】
前記課題を解決するため、本発明の災害備蓄セットは、地震、風水害、津波などの災害発生時の公共避難場所に備える避難者用の備蓄セットであって、
避難者一人がゆとりを持って居住できる幅を所定寸法ｎとし、その所定寸法ｎの縦横長さの運搬台に載置された縦横所定寸法ｎの複数枚のダンボール板材と、ダンボール板材及び箱を接続組み立てるためのガムテープ等の接続資材を収納した複数のダンボール小箱と、その複数の小箱を収納した複数のダンボール中箱と、さらにその複数の中箱を収納した少なくとも１辺が所定寸法ｎのダンボール大箱とを載置して、縦横及び高さを所定寸法ｎに統一し、
避難所開設に際し、前記ダンボール板材をガムテープ等の接続資材で組み立てることにより、間仕切りパーテーション、三角シェルター、更衣パネル、テーブル兼トレイを提供し、前記ダンボール大箱をそのままあるいは接続加工し、共同トイレ、共同着替えブース、共同ゴミ箱又は立ち位テーブルとし、
ダンボール中箱を家族単位の配給品収納庫、又はダンボール板材と組み合わせて座位テーブルとし、
ダンボール小箱は、複数の小箱を床に連結敷き詰めた断熱床、就寝用枕、２段重ねとして簡易テーブル、３段重ねとして簡易椅子、個人単位配給品収納庫とし、速やかな避難所生活のプライバシー確保と収容者の生活支援を図る避難者用セットであることを特徴とする。
【００１０】
また、地震、風水害、津波などの災害発生時の公共避難場所に備える避難者用の備蓄セットであって、
避難者一人がゆとりを持って居住できる幅を所定寸法ｎとし、その所定寸法ｎの縦横長さの運搬台に載置された縦横所定寸法ｎの複数枚のダンボール板材と、ダンボール板材及び箱を接続組み立てるためのガムテープ等の接続資材を収納した複数のダンボール小箱と、その複数の小箱を収納した複数のダンボール中箱と、さらにその複数の中箱を収納した少なくとも１辺が所定寸法ｎのダンボール大箱とを載置して、縦横及び高さを所定寸法ｎに統一し、
避難所開設に際し、前記ダンボール板材をガムテープ等の接続資材で組み立てることにより、非難者への連絡事項を掲示する簡易連絡ボード、避難者への案内を表示する簡易サインボードを提供し、前記ダンボール大箱とダンボール板材をそのままあるいは接続加工し、相談テーブル及び椅子、共同着替えブース、共同ゴミ箱、収納棚を提供し、速やかな避難所での支援業務の円滑な運営を図る支援者用セットであることを特徴とする。
【００１１】
また、前記ダンボール板材は、表面に被災者の視覚を通して精神的負担、心理的苦痛を和らげる花柄などの印刷がなされていることを特徴とする。
【００１２】
また、前記ダンボール板材は、板材を切断・折り曲げ加工の切断線又は曲げ線を印刷或いはミシン加工されており、サインボード脚部、椅子部材、机部材、遊具部材などの所望のダンボール部品をカッターで容易に切り抜き可能な加工がされていることを特徴とする。
【発明の効果】
【００１３】
本発明の災害備蓄セットによれば、セットが安価なダンボール資材で統一されており、且つ活用しやすいサイズに統一されているため、多人数分の備蓄を行う経費及び備蓄スペースを少なくすることができる。
【００１４】
また、本発明のパッケージは応用範囲が広く、避難者用のプライバシー確保と、避難所の生活支援及び支援者活動の必要資材を緊急に組み立てて提供することができる。
【００１５】
さらに、間仕切りには花柄などの印刷がなされ、被災者の視覚を通して精神的負担、心理的苦痛を和らげることができる。またさらに、ダンボール資材に印刷と切り取り可能なミシン目加工を行うことにより被災児童の遊具を提供することもできる。
【発明を実施するための最良の形態】
【００１６】
以下、本発明の実施の形態を図面を参照して詳細に説明する。
【００１７】
図１は、本発明の災害備蓄セットの被災者用セットの実施例である。被災者用セット１００Ａは間仕切りパーテーション１１用、簡易テント１２用、簡易更衣室１３用のダンボール板材１と、ダンボール中箱５０に収納された簡易テーブル・トレイ１４用のダンボール部材と、ダンボール接続加工用のガムテープ等の備品１５がセットされたものである。
【００１８】
この実施例では、避難者一人がゆとりを持って居住できる幅を１１００ｍｍの所定寸法ｎとし、ダンボール板材１の寸法１１００ｍｍ×１１００ｍｍと同寸法の運搬パレット９０に載置されて運搬移動させやすくされている。ダンボール板材の厚みは１０〜２５ｍｍの中から選択する。
【００１９】
この被災者用セット１００Ａでは、避難所の家族単位の間仕切り、床、テントにより、プライベートな空間を提供することができる。また、支援物資の配給を受け取って避難生活場所まで運ぶトレイ兼用の食卓テーブルなど、被災生活での必需品が提供される。
【００２０】
図２は、本発明の災害備蓄セットの支援者用セットの実施例である。支援者用セット１００Ｂは、簡易連絡ボード１６、簡易サインボード１７、机１８用のダンボール板材１と、ダンボール中箱５０に収納された椅子１９、棚２０及びダンボール接続用のガムテープ等の備品１５がセットされたものである。
【００２１】
なお、このセットのダンボール板材１には、印刷と切り取り可能なミシン目加工を行うことにより、ボードの脚部や机、椅子の部材を容易に切り出すとともに、切り出し加工することにより被災児童の遊具を提供することができる。
【００２２】
図３は、本発明の災害備蓄セットによる間仕切りの実施例である。間仕切り１１は、ダンボール板材１を直角に立設して接続した壁１１ａと、ダンボール板材１を敷詰めた床１１ｂで容易に設置することができる。
【００２３】
なお、壁の長さは、ダンボール板材１を連結することにより任意の長さにすることができる。また、壁のダンボール板材１の表面には、被災者の視覚を通して精神的不安、心理的苦痛を和らげる花柄などの図柄を印刷しておく。
【００２４】
図４は、本発明の災害備蓄セットによる簡易テントの実施例である。簡易テント１２（簡易シェルター）は、ダンボール板材１により屋根１２ａ、１２ｂ、床１２ｃの頂点をガムテープで接続することにより三角テントとしたものである。この実施例では、ダンボール板材１を２枚接続して長さ２．２メートルの屋根と床とし、三角開口部には側壁１２ｄを設ける。
【００２５】
この実施例では、ダンボール板材１を２枚接続して長さ２．２メートルの屋根と床とし、三角開口部には側壁１２ｄを設けている。側壁１２ｄは、ダンボール板材１に予め三角形に切り出すミシン切れ目加工を行っておくことで、現地加工をすることにしても良い。
【００２６】
図５は、本発明の災害備蓄セットを用いた簡易更衣室の実施例で、（ａ）は透視図、（ｂ）は斜視図ある。簡易更衣室１３は、ダンボール板材１を２枚接続した側壁１３ａ、１３ｂ、１３ｃを立設してコ字状に接続し、底部に底板１３ｅを嵌め込み、表側にドア１３ｄを開閉自在に取り付けて設置する。なお、立設に際して補強用のダンボール１３ｆを貼り付けて補強することが望ましい。
【００２７】
図６は、本発明の災害備蓄セットを用いた簡易テーブル・トレイの実施例で、（ａ）は簡易テーブルの斜視図、（ｂ）は簡易テーブルを逆転した簡易トレイの斜視図ある。簡易テーブル・トレイ１４は、ダンボール板材１の天板１４ａと、脚部１４ｂと、補強側板１４ｃから組み立てられている。いずれもダンボール板材１から形成可能であるが、予め部品としてカットして折り目加工した災害備蓄セットとすることが望ましい。
【００２８】
図６（ａ）、（ｂ）に示すように、この簡易テーブル１４は、上下逆転するとトレイとしての機能を果たし、支援物資の配給場所から家族の非難場所まで汁物などを含む配給食を持ち運ぶ、避難生活での日常での用具となる。
【００２９】
図７は、本発明の災害備蓄セットを用いた簡易ボードの実施例で、（ａ）は簡易連絡ボード、（ｂ）は簡易サインボードの斜視図である。
【００３０】
簡易連絡ボード１６は、ダンボール板材１からなるボード面１６ａと、それを立設する脚部１６ｂで構成され、脚部１６ｂは箱状の上部にボード面１６ａを差し込む溝を形成したものである。なお、脚部１６ｂの底部には水を充填したペットボトル（図示していない）を重しとして入れることにより、安定させることができる。
【００３１】
図７（ａ）の簡易連絡ボード１６には、支援者（スタッフ）からの連絡事項、被災者同士の連絡事項などを掲示することができる。
【００３２】
図７（ｂ）の簡易サインボード１７は、ボード面１７ａと、脚部１７ｂで構成され、非難場所の案内表示の必要な場所に設置する。
【００３３】
図８は、本発明の災害備蓄セットを用いた机の実施例である。机１８は、この実施例のように、支援者（スタッフ）と被災者が対面して相談に応じるタイプ、複数の支援者（スタッフ）と被災者が相談するためのタイプなど、様様な要求が生じる。この実施例は、ダンボール中箱５０を両サイドに並べ、その上にダンボール板材１を２枚掛け渡し、補強材１８ａ（ダンボール板）と、中間仕切り１８ｂを設けたものである。
【００３４】
図示しないが、上下に差込溝を設けたダンボール板材２枚をクロスさせて脚部として、その上にダンボール板材１を載せることでも机として利用することができる。
【００３５】
図９は、本発明の災害備蓄セットを用いた椅子の実施例である。椅子１９は、ダンボール板１を椅子側面形状に切りとった左右各１枚の側脚１９ａと、側脚１９ａの溝に差し込み固定する背もたれ１９ｂ、座部１９ｃ、前部１９ｄで構成し、ダンボール部材のみで構成されても充分な強度を持たせた構成とされている。
【００３６】
図１０は、本発明の災害備蓄セットを用いた棚の実施例である。棚２０は、ダンボール素材の紙管２０ａ、２０ｂを継ぎ手２０ｃ、２０ｄで連結して構成する。棚部にはダンボール板の棚板２０ｅを載せる。なお、紙管２０ａは所望の高さ寸法とし、紙管２０ｂは所望の棚区分巾（例えば３０センチ）を用いてもよい。
【００３７】
図１１は、本発明の災害備蓄セットに用いるダンボール部材の実施例で、（ａ）は簡易テント部材、（ｂ）は簡易テーブル兼トレイ部材、（ｃ）は机部材、（ｄ）は椅子部材のカット例である。
【００３８】
図１１（ａ）の簡易テント部材は、１枚のダンボール板材１を上部に折り曲げ三角屋根１２ａ、１２ｂを形成し、一方の側面を塞ぐ三角壁１２ｃを溝に差し込んで組み立てる構成としたもので、溝差込シロ１２ｅを設けてある。
【００３９】
図１１（ｂ）は、簡易テーブル１４を一枚のダンボール板材をカットして形成するもので、天板１４ａを中心にして折込みにより脚部１４ｂ、補強側板１４ｃを形成するものである。
【００４０】
図１１（ｃ）は、机１８の部材セットの例である。図１１（ｄ）は、椅子１９の部材セットの例である。なお、これらのダンボール部材は、予めカットせず、ダンボール板材１を切断・折り曲げ加工の切断線又は曲げ線を印刷或いはミシン加工されており、サインボード脚部、椅子部材、机部材、遊具部材などの所望のダンボール部品をカッターで容易に切り抜き可能な加工を施して備蓄するようにしてもよい。
【００４１】
本発明の災害備蓄セット１００では、大、中、小のダンボール箱を構成要素のひとつとする。
ダンボール大箱６０（大型ボックス）は、１１０センチ×１１０センチ×１１０センチとし、ダンボール板材１と縦横高さを同一とし、備蓄密度を高くすると共に、複数の大人またはフォークリフトによる運搬可能なサイズとする。
【００４２】
ダンボール中箱５０（中型ボックス）は、大人が手に持てる大きさ、高さ５４センチ×巾３６センチ×奥行き５４センチとし、前記ダンボール大箱６０（大型ボックス）に１２個収納される寸法に形成する。
【００４３】
ダンボール小箱４０（小型ボックス）は、子供でも持てる大きさ、高さ１３センチ×巾３５センチ×奥行き２６センチとし、前記ダンボール中箱５０（中型ボックス）に８個収納される寸法に形成する。この寸法にすることにより、前記ダンボール大箱６０（大型ボックス）には、１２個の中型ボックスと、９６個の小型ボックスを収納して備蓄することができる。以下、これらのボックスの活用例を示す。
【００４４】
図１２は、本発明の災害備蓄セットのダンボール小箱（小型ボックス）の活用例で、（ａ）は収納例、（ｂ）は簡易ベッド活用例、（ｃ）は床材活用例、（ｄ）は枕、お膳、椅子の活用例である。
【００４５】
図１２（ａ）は、一人用の配給品を納める箱として利用した形態である。箱内には中仕切り４０ａを設け、収納品を区分け可能としている。（ｂ）は、小型ボックス４０を箱状のまま連結させることで、断熱性の高い簡易ベッドとして活用した例である。寒冷期の避難所又は病人などのベッドとして利用する。
【００４６】
図１２（ｃ）は、小型ボックス４０を開いて平らな板状に展開して敷詰めて床として活用した例である。（ｄ）は枕、お膳、椅子の活用例である。なお、小型ボックス４０は中仕切り４０ａにより箱の強度が高く、重ねても重量に耐える。また、上開きで開口が大きくものの出し入れが容易に行える。
【００４７】
図１３は、本発明の災害備蓄セットのダンボール中箱、大箱（中型ボックス、大型ボックス）の活用例で、（ａ）はゴミ箱活用例、（ｂ）は立机活用例、（ｃ）は更衣室活用例である。
【００４８】
図１３（ａ）は、ダンボール中箱（中型ボックス）５０又はダンボール大箱（大型ボックス）６０の側面に丸穴を開けて、上両開きの蓋をガムテープで閉鎖して、横に立てることにより容易に多人数の共同利用が可能なごみ箱を提供することができる。
【００４９】
図１３（ｂ）は、ダンボール大箱（大型ボックス）６０を、立ち机として活用した実施例である。両開きの蓋は、開閉可能に止め具でとめておき、内部を収納庫として利用することができる。
【００５０】
図１３（ｃ）は、ダンボール大箱（大型ボックス）６０を２個連結し、連結部の壁板を切り取って、更衣室１３を形成したもので、１．１メートル四方の広い更衣スペースを提供することができる。
【００５１】
本発明のように、大型ボックス内に収容可能なサイズの中型ボックス、さらに中型ボックスに収納可能な小型ボックスを災害備蓄すれば、備蓄のスペースをとらず、利用に際しても小型ボックスを引き出し式の収納庫とできるなど、避難所個人スペースの整理と有効活用を行うことができる。
【図面の簡単な説明】
【００５２】
【図１】本発明の災害備蓄セットの被災者セットの実施例である。
【図２】本発明の災害備蓄セットの支援者用セットの実施例である。
【図３】本発明の災害備蓄セットによる間仕切りの実施例である。
【図４】本発明の災害備蓄セットによる簡易テントの実施例である
【図５】本発明の災害備蓄セットを用いた簡易更衣室１３の実施例で、（ａ）は透視図、（ｂ）は斜視図ある。
【図６】本発明の災害備蓄セットを用いた簡易テーブル・トレイの実施例で、（ａ）は簡易テーブルの斜視図、（ｂ）は簡易テーブルを逆転した簡易トレイの斜視図ある。
【図７】本発明の災害備蓄セットを用いた簡易ボードの実施例で、（ａ）は簡易連絡ボード、（ｂ）は簡易サインボードの斜視図である。
【図８】本発明の災害備蓄セットを用いた机の実施例である。
【図９】本発明の災害備蓄セットを用いた椅子の実施例である。
【図１０】本発明の災害備蓄セットを用いた棚の実施例である。
【図１１】本発明の災害備蓄セットに用いるダンボール部材の実施例で、（ａ）は簡易テント部材、（ｂ）は簡易テーブル兼トレイ部材、（ｃ）は机部材、（ｄ）は椅子部材のカット例である。
【図１２】本発明の災害備蓄セットのダンボール小箱（小型ボックス）の活用例で、（ａ）は収納例、（ｂ）は簡易ベッド活用例、（ｃ）は床材活用例、（ｄ）は枕、お膳、椅子の活用例である。
【図１３】本発明の災害備蓄セットのダンボール中箱、大箱（中型ボックス、大型ボックス）の活用例で、（ａ）はゴミ箱活用例、（ｂ）は立机活用例、（ｃ）は更衣室活用例である。
【符号の説明】
【００５３】
１    ダンボール板材
１１    間仕切りパーテーション、間仕切り
１１ａ  壁
１１ｂ  床
１２    簡易テント、簡易シェルター
１２ａ  屋根
１２ｂ  屋根
１２ｃ  床
１２ｄ  側壁
１３    簡易更衣室
１３ａ、１３ｂ，１３ｃ  側壁
１３ｄ  ドア
１３ｅ  底板
１３ｆ  補強用ダンボール
１４    簡易テーブル・トレイ
１４ａ  天板
１４ｂ  脚部
１４ｃ  補強側板
１５    備品、ガムテープ等接続資材
１６    簡易連絡ボード
１６ａ  ボード面
１６ｂ  脚部
１７    簡易サインボード
１７ａ  ボード面
１７ｂ  脚部
１８    机
１８ａ  補強材
１８ｂ  中間仕切り
１９    椅子
１９ａ  側脚
１９ｂ  背もたれ
１９ｃ  座部
１９ｄ  前部
２０    棚
２０ａ、２０ｂ  紙管
２０ｃ、２０ｄ  継ぎ手
４０    ダンボール小箱、小型ボックス
５０    ダンボール中箱、中型ボックス
６０    ダンボール大箱、大型ボックス
１００    災害備蓄セット
１００Ａ  被災者用セット
１００Ｂ  支援者用セット    
【図１】
2008126021.tif 000003
【図２】
2008126021.tif 000004
【図３】
2008126021.tif 000005
【図４】
2008126021.tif 000006
【図５】
2008126021.tif 000007
【図６】
2008126021.tif 000008
【図７】
2008126021.tif 000009
【図８】
2008126021.tif 000010
【図９】
2008126021.tif 000011
【図１０】
2008126021.tif 000012
【図１１】
2008126021.tif 000013
【図１２】
2008126021.tif 000014
【図１３】
2008126021.tif 000015